(57)【要約】【課題】  サムターン回しの被害を防止し、、生命、財産を守る。【解決手段】    ドアーののぞき窓を構成する孔に嵌入若しくは緩入可能なボルト部を有する外部取り付け金具１に、サムターン回し防護板２を設けた防犯設備用品により、この課題を解決する。【選択図】    図１
0003106353.tif 000002
【実用新案登録請求の範囲】
【請求項１】
玄関のぞき穴によるサブターン回しを防止し、センサーとカメラによる防犯効果や犯人の特定に役立つ、来訪者の把握も可能な、のぞき穴に取り付けができる防犯用品。
【考案の詳細な説明】
【技術分野】
【０００１】  この考案は、サムターン回しを防ぎ、ビッキングなどの犯罪防止し生命財産の保全に関する。
【背景技術】
【０００２】  従来、マンションなどのドアーののぞき窓は、サムターン回しなど犯罪者の侵入の弱点とななっている。ピッキングなどの犯罪により生命、資産の危機が日常的になっている。
【考案の開示】
【考案が解決しようとする課題】
【０００３】  現在あるドアーののぞき穴が犯罪者の侵入に弱い点を克服し、同時に犯罪の抑止効果と、犯罪が発生したときに犯人の特定を行いやすい環境をシステム化して提供するためのものである。
【課題を解決するための手段】
【０００４】  上記の目的を達成するために、この考案は、のぞき穴を堅牢な部品で直接工具が侵入できないように防御して塞ぎ、外部にカメラ、センサー、ストロボ、マイク、スピーカー、インターホン押しボタンスイッチ等の装置を設け、内部には画像や音声のメモリー、モニター、マイク、スピーカー、シャッターボタン、インターホンボタン、モードスイッチ、電池ボックス等の装置を設置する。これらの結線はのぞき穴に使われていた穴を利用する。外部の装置は厚い金属板に取り付け、金属板とドアーは両面接着のシートで補強固定する。内部の装置も金属板に取り付けて防御する。内部装置は電線又は無線を利用して離れた位置に設置可能でありパソコン、携帯電話との連携も可能である。電池もＡＣアダプターを利用できる。
【考案の効果】
【０００５】  この考案は、以上説明したように構成するので、以下に記載するような効果を奏する。
まず、サムターン回しの被害を防止できる。つぎにセンサーとカメラの設置により、この装置の存在が犯罪の抑止につながることが考えられる。例えばピッキング犯罪、ストーカー犯罪、訪問販売、など多方面に効果が大きい。不幸にして侵入された場合にも、事件解決のために役立つと考えられる。また、ドアー以外でも設置可能で、自動販売機あらしや車上荒らしなど、小さい穴一つで防犯装置を設置できる。その他、映像だけでなく音声の記録も可能で、留守中に訪れた知人・客人を知る上でも役立つ。防犯カメラのように高価でなく、誰もが使いやすいもので、犯罪を抑止する効果が大きいものとなることが考えられる。
【考案を実施するための最良の形態】
【０００６】  この装置は既存のドアーののぞき穴を前提に取り付けボルトの直径を基凖とする。また防護板は、ドリルなどの工具に対応できる材質が必要であり、内部装置の設置場所も、利用者が選択できるように外部端子もあったほうが良い。破壊にあった場合、それを警報を発し通報する機能も欲しい。また、新規ドアーの場合にも強力に取り付けられるよう配慮を必要とする。
【実施例】
【０００７】  図１は、外部、内部の防護板をドアーに取り付けた時の断面図である。
図２は、外部防護板の正面図である。
図３は、外部装置のレイアウトの例である。
図４は、内部装置のレイアウトの例である。
内部装置と外部装置の結線は、外部防護板の取り付け中空ボルトの穴を利用する。
【産業上の利用の可能性】
【０００８】  上記のように構成した防犯装置は、サムターン回しの工具の侵入を防ぐと同時に、外部インターホンボタンを押すことによって、来訪者の撮影・記録をすることができる。また、センサーにより侵入者を感知し撮影・記録もできる。これらの機能はモードスイッチにより切り替え、在宅、留守の場合の最適の環境を設定できる。上記にも述べたようにピッキング、ストーカー、訪問販売、自販機荒らし、車上荒らしなどにも、安価で個人でも対応できる手段を提供できるものである。しかも携帯電話、パソコンとの接続で、より高度な利用ができる。
【図面の簡単な説明】
【０００９】
【図１】  防護板取り付け構造図の平面図
【図２】  防護板取り付け構造図の正面図
【図３】  外部装置レイアウトの正面図である。
【図４】  内部装置レイアウトの正面図である。
【符号の説明】
【００１０】  １……外部取り付け金具
２……サムターン回し防護板
３……内部防護板
４……ドアー鉄板
５……両面粘着フィルム
６……取り付けナット
７……ロックナット
８……外部装置取り付け用ねじ穴
９……スピーカ
１０……センサー
１１……カメラレンズ
１２……ストロボ
１３……マイク
１４……プッシュボタン
１５……モニタ
１６……電池フォルダ
１７……モード表示ＬＥＤ
１８……カメラスイッチ
１９……インターホンスイッチ
２０……在宅・留守切り替えスイッチ
２１……モードスイッチ
２２……ＡＣアダプター、外部接続端子
【図１】
0003106353.tif 000003
【図２】
0003106353.tif 000004
【図３】
0003106353.tif 000005
【図４】
0003106353.tif 000006
【手続補正書】
【提出日】平成16年8月11日(2004.8.11)
【手続補正１】
【補正対象書類名】実用新案登録請求の範囲
【補正対象項目名】全文
【補正方法】変更
【補正の内容】
【実用新案登録請求の範囲】
【請求項１】
ドアーののぞき窓を構成する孔に嵌入若しくは緩入可能なボルト部を有する外部取り付け金具に、サムターン回し防護板を設けた防犯設備用品。
【請求項２】
ボルト部に孔を設け、外部取付金具とサムターン回し防護板との間に少なくとも１カ所の開口部を設け、カメラを有する外部装置を外部取付金具に取り付けるとともに、外部取付金具のボルト部に内部防護板を取り付け、モニターを有する内部装置を内部防護板に取り付けた請求項１記載の防犯設備用品。
【手続補正２】
【補正対象書類名】明細書
【補正対象項目名】全文
【補正方法】変更
【補正の内容】
【考案の詳細な説明】
【技術分野】
【０００１】  この考案は、サムターン回しを防ぐ防犯設備用品に関するものであり、ピッキングなどの犯罪をも防止し生命財産の保全をする。
【背景技術】
【０００２】  従来、マンションなどのドアーののぞき窓（のぞき穴）は、サムターン回しなど犯罪者の侵入の弱点となっている。ピッキングなどの犯罪により生命、資産の危機が日常的になっている。
【考案の開示】
【考案が解決しようとする課題】
【０００３】  現在あるドアーののぞき穴が犯罪者の侵入に弱い点を克服するつもりであるが、同時に犯罪の抑止効果と、犯罪が発生したときに犯人の特定を行いやすい環境をシステム化して提供するものである。
【課題を解決するための手段】
【０００４】  上記の目的を達成するために、この考案は、ドアーののぞき窓を構成する孔に嵌入若しくは緩入可能なボルト部を有する外部取り付け金具に、サムターン回し防護板を設けた防犯設備用品である。
また、ボルト部に孔を設け、外部取付金具とサムターン回し防護板との間に少なくとも１カ所の開口部を設け、カメラを有する外部装置を外部取付金具に取り付けるとともに、外部取付金具のボルト部に内部防護板を取り付け、モニターを有する内部装置を内部防護板に取り付ける場合もある。
のぞき穴を堅牢な部品で直接工具が侵入できないように防御して塞ぎ、外部にカメラ、センサー、ストロボ、マイク、スピーカー、インターホン押しボタンスイッチ等の装置を設け、内部には画像や音声のメモリー、モニター、マイク、スピーカー、シャッターボタン、インターホンボタン、モードスイッチ、電池ボックス等の装置を設置する。これらの結線はのぞき穴に使われていた孔を利用する。外部の装置は厚い金属板に取り付け、金属板とドアーは両面接着のシートで補強固定する。内部の装置も金属板に取り付けて防御する。内部装置は電線又は無線を利用して離れた位置に設置可能でありパソコン、携帯電話との連携も可能である。電池もＡＣアダプターを利用できる。
従って、侵入を試みる者が、ドアーののぞき窓を介してサムターン回しをしてドアーを開けようとしても、サムターン回し防護板によって防護されているので、サムターン回しの工具が侵入できず、ドアーを開けることができない。
外部取り付け金具のボルト部も防護に役立つ。
【考案の効果】
【０００５】  この考案は、以上説明したように構成するので、以下に記載するような効果を奏する。
まず、のぞき窓からのサムターン回しの被害を防止できる。つぎにセンサーとカメラの設置により、この装置の存在が犯罪の抑止につながることが考えられる。例えばピッキング犯罪、ストーカー犯罪、訪問販売、など多方面に効果が大きい。不幸にして侵入された場合にも、事件解決のために役立つと考えられる。また、ドアー以外でも設置可能で、自動販売機あらしや車上荒らしなど、小さい孔一つで防犯装置を設置できる。その他、映像だけでなく音声の記録も可能で、留守中に訪れた知人・客人を知る上でも役立つ。防犯カメラのように高価でなく、誰もが使いやすいもので、犯罪を抑止する効果が大きいものとなることが考えられる。
【考案を実施するための最良の形態】
【０００６】  この装置は既存のドアーののぞき穴を前提に取り付けボルトの直径を基準とする。また防護板は、ドリルなどの工具に対応できる材質が必要であり、内部装置の設置場所も、利用者が選択できるように外部端子もあったほうが良い。破壊にあった場合、それを警報を発し通報する機能も欲しい。また、新規ドアーの場合にも強力に取り付けられるよう配慮を必要とする。
【実施例】
【０００７】  図１は、外部、内部の防護板をドアーに取り付けた時の断面図である。
ドアー鉄板４ののぞき窓の位置に合わせて両面粘着フィルム５を貼る。
図２は、外部防護板の正面図である。
図３は、外部装置のレイアウトの例である。
外部装置には、カメラ、ストロボ１２、センサー１０。マイク１３，スピーカー９，プッシュボタン１４を設けてある。
外部装置を、外部装置取り付け用ねじ穴８を介して、外部取り付け金具１にねじで取り付ける。
図４は、内部装置のレイアウトの例である。
内部装置には、モニターｌ５、電池フォルダ１６、モード表示ＬＥＤ１７、カメラスイッチ１８、インターホンスイッチ１９、在宅・留守切り替えスイッチ２０、モードスイッチ２１、ＡＣアダプター外部接続端子２２、等を設けてある。
内部装置と外部装置の結線は、外部取付金具１とサムターン回し防護板２との間の開口部及び、外部取付金具１（外部防護板）の取り付け中空ボルトの孔を利用する。
外部取り付け金具１を、ボルト部とドアーののぞき窓の孔に合わせて、両面粘着フィルム５を介してドアー鉄板４に取り付ける。
内部防護板３の孔の位置を、外部取り付け金具１のボルト部に合わせて、取り付けナット６とロックナット７とで内部防護板３をドアー鉄板４に固定する。
【産業上の利用可能性】
【０００８】  上記のように構成した防犯装置は、サムターン回しの工具の侵入を防ぐと同時に、外部インターホンボタンを押すことによって、来訪者の撮影・記録をすることができる。また、センサーにより侵入者を感知し撮影・記録もできる。これらの機能はモードスイッチにより切り替え、在宅、留守の場合の最適の環境を設定できる。上記にも述べたようにピッキング、ストーカー、訪問販売、自販機荒らし、車上荒らしなどにも、安価で個人でも対応できる手段を提供できるものである。しかも携帯電話、パソコンとの接続で、より高度な利用ができる。
【図面の簡単な説明】
【０００９】
【図１】  防護板取り付け構造図の断面図
【図２】  防護板取り付け構造図の正面図
【図３】  外部装置レイアウトの正面図である。
【図４】  内部装置レイアウトの正面図である。
【符号の説明】
【００１０】    １……外部取り付け金具
２……サムターン回し防護板
３……内部防護板
４……ドアー鉄板
５……両面粘着フィルム
６……取り付けナット
７……ロックナット
８……外部装置取り付け用ねじ穴
９……スピーカ
１０……センサー
１１……カメラレンズ
１２……ストロボ
１３……マイク
１４……プッシュボタン
１５……モニター
１６……電池フォルダ
１７……モード表示ＬＥＤ
１８……カメラスイッチ
１９……インターホンスイッチ
２０……在宅・留守切り替えスイッチ
２１……モードスイッチ
２２……ＡＣアダプター、外部接続端子
【手続補正３】
【補正対象書類名】図面
【補正対象項目名】図１
【補正方法】変更
【補正の内容】
【図１】
0003106353.tif 000007